(57)【要約】【課題】  画像読取装置の縦置き状態での原稿カバーとヒンジの回動を、簡単な作業で規制する。【解決手段】  ヒンジ部材を画像読取装置に固定する固定手段を設け、ヒンジ側の側面を接地面として画像読取装置を縦置きした状態では固定され、他の面を接地面とした場合には、固定が解除される固定機構とする。【選択図】  図４
2008032984.tif 000002
【特許請求の範囲】
【請求項１】
画像読取装置は、透明原稿台と、前記透明原稿台をカバーする原稿カバーと、一端を前記画像読取装置に回動可能に第一の回動軸で軸支され、前記一端に平行な他端を前記原稿カバーに第二の回動軸で回動可能に軸支されたヒンジ部材と、前記ヒンジ部材が前記第二の回動軸での回動を固定する固定手段とを有し、
前記固定手段は、前記画像読取装置の前記ヒンジ部材側の側面を接地面として設置した縦置状態では前記固定され、前記透明原稿台の他の面を接地面として設置した状態では、前記固定が解除される機構を有することを特徴とする画像読取装置。
【請求項２】
前記固定手段は、前記縦置きに設置したときに前記画像読取装置の自重で作動し、前記縦置き以外の状態では解除されることを特徴とする請求項１に記載の画像読取装置。
【請求項３】
前記固定手段は、前記固定する位置と解放する位置との２つの位置を移動可能なストッパ部材と、前記画像読取装置のストッパ受け部から構成され、
前記縦置き以外の状態では、前記ストッパ部材の端部が前記ヒンジ部材側の側面から突出し、前記固定が解除され、
前記縦置き状態では、前記ストッパ部材の端部が前記画像読取装置内に押込まれ、前記固定されることを特徴とする請求項１に記載の画像読取装置。
【発明の詳細な説明】
【技術分野】
【０００１】
本発明は、透明原稿台の原稿を読み取る、画像読取装置に関するものである。
【背景技術】
【０００２】
従来、薄型の画像読取装置を縦置きに設置する場合、原稿カバーのヒンジが設置面に対してほぼ垂直になるように、画像読取装置とは別体のスタンドを用いて、固定していた（特許文献１参照）。
【０００３】
また、縦置き時に原稿の位置決めを行いやすいように、縦置きした時にヒンジが接地面に対してほぼ平行になるようにし、縦置き用のスタンドを画像読取装置本体に内蔵し、そのスタンドでヒンジを開かないように固定する画像読取装置がある（特許文献２参照）。
【特許文献１】特開２０００−１５６７５６号公報
【特許文献２】特開２００６−１８６７７１号公報
【発明の開示】
【発明が解決しようとする課題】
【０００４】
しかしながら、スタンドに画像読取装置本体を縦置きする機能と、ヒンジを固定するための機能と、の２つの機能を持たせるためにスタンドを組み立てるという、使用者に解り辛い作業となっていた。
【課題を解決するための手段】
【０００５】
上記課題を解決するために、本発明の画像読取装置は、透明原稿台と、前記透明原稿台をカバーする原稿カバーと、一端を前記画像読取装置に回動可能に第一の回動軸で軸支され、前記一端に平行な他端を前記原稿カバーに第二の回動軸で回動可能に軸支されたヒンジ部材と、前記ヒンジ部材が前記第二の回動軸での回動を固定する固定手段とを有し、前記固定手段は、前記画像読取装置の前記ヒンジ部材側の側面を接地面として設置した縦置状態では前記固定され、前記透明原稿台の他の面を接地面として設置した状態では、前記固定が解除される機構を有することを特徴とする。
【発明の効果】
【０００６】
本発明によれば、ヒンジ側を下にして、接地面に縦置き状態で画像読取装置を設置するだけで、ヒンジが規制されることにより、縦置き読取時の操作性が大幅に向上する。
【発明を実施するための最良の形態】
【０００７】
図１は本実施形態に係るカラー画像読取装置の斜視図である。図１に示すように、装置本体１の上面に取り付けられた透明原稿台としての原稿台ガラス２上に原稿をセットし、コンタクトイメージセンサ３を原稿台ガラス２に平行に走査することにより、原稿に記載された画像を読み取る。
【０００８】
なお、コンタクトイメージセンサ３には、その内部には原稿照射用の光源であるＲＧＢ三色のＬＥＤ、原稿からの反射光をイメージセンサの受光素子上に結像するロッドレンズアレイ、およびイメージセンサが組込まれている。三色の光源を順次切り替えて点灯し、イメージセンサが各色ごとの原稿からの反射光を読み取ることにより、色分解読み取りをする。
【０００９】
コンタクトイメージセンサ３は、摺動性の良い材質からなるスペーサを左右端部にそれぞれ配置された状態でセンサーホルダ１０３に軸支されている。センサーホルダ１０３は、装置本体１に固定されたガイドシャフト４上を摺動するスライダ５上に固定支持される。コンタクトイメージセンサ３の左側端部は、センサーホルダ１０３上に位置決めされたバネにより、スペーサを介して原稿台ガラス２に圧接される。センサー３、センサーホルダ１０３、バネ、スライダ５など、スライダと一体化されたユニットを、以下、キャリッジ５０１と呼ぶ。また、図１に示すように、スライダ５には、走査駆動源であるモータからの動力を伝達するベルト１５が固定される。モータの正逆回転により、キャリッジ５０１は原稿台ガラス２の範囲の往復走査が可能になっている。また、センサー３の電気的入出力のためのフレキケーブル１０５は、片側をセンサー３に接続され、画像読取装置本体のコントロールボードに、反対側を接続されている。
【００１０】
またスライダ５には、走査駆動源であるモータからの動力を伝達するベルト１５が固定される。モータの正逆回転により、コンタクトイメージセンサ３は原稿台ガラス２の範囲の往復走査が可能になっている。
画像読取装置には、上記のほかにコントロールボードや電源からなる電装部がある。これらは、原稿台ガラスを固定支持する装置本体１の中に配置されている。
【００１１】
次に装置本体１に対する原稿カバー６の開閉構成について説明する。図２は装置本体１と原稿カバー６とを開閉可能に連結するヒンジ構成の説明図である。図３（ａ）は原稿カバー６を閉じた状態説明図、図３（ｂ）は原稿カバー６を略１１０°開いた状態説明図、また図３（ｃ）は，原稿カバー６は原稿台ガラス２に平行な状態で、ヒンジ７を略７０°開いた状態説明図である。
【００１２】
図２、図３、図５に示すように、装置本体１には、後端部にヒンジ用シャフト７１と凹部１ａが同軸上に設けられており、ヒンジ７の穴部７ｃがヒンジ用シャフト７１に、ヒンジ後端の凸部７ａが凹部１ａにそれぞれ回動可能に軸支されている。片側にヒンジ用シャフト７１を用いているのは、原稿カバー６を開放時にこの部分にヒンジ７と原稿カバー６の全荷重が掛かるためである。さらに、ヒンジ７には、凸部７ｂが２箇所凸部７ａ・穴部７ｃと平行に設けてられており、原稿カバー凹部６ａがそれぞれ回動可能に軸支されている。これによって原稿カバー６は、装置本体１に対して二箇所の軸を支点にして開閉可能に取り付けられている。また、原稿カバー６には回転角度規制用の突起部１８、ヒンジ７には回転角度規制用の突起部２０がそれぞれ設けられている。
【００１３】
本などの厚手原稿をセットして原稿カバー６を閉じると、図３（ｃ）に示すように原稿カバー６とヒンジ７は厚手原稿の高さに応じてバランスを保った位置で姿勢が決まる。この時、ヒンジ７は厚手原稿の厚みによって回動し、厚手原稿を押さえ付けることができる。
【００１４】
通常に原稿カバー６を開くと、まず原稿カバー６だけが軸支部６ａ，７ｂを回動中心として開き始める。その後原稿カバー６・ヒンジ７に設けた回動角度規制突起部１８，２０によって、原稿カバー６はヒンジ７に対して略４０°開いた位置でその回動角度を停止される。さらに開こうとしても、原稿カバー６はヒンジ７に対してはそれ以上の角度には開かない。このため、図５に示す様に、前記略４０°の角度を維持したままヒンジ７はヒンジ用シャフト７１を軸にして回転し、ヒンジ７が原稿台ガラス２に対して略７０度開いた位置で、ヒンジ７の突き当て部１９が突き当て７０ａに当たる。この位置で原稿カバー６は開放の姿勢維持されるので、原稿カバー６カバーから手を放して原稿をセットすることができる。
【００１５】
次に画像読取装置を縦置きにヒンジを開かないように固定するストッパ機構の構成について説明する。
【００１６】
まずヒンジ側について説明する。図６（ａ）に示すように、ヒンジ７にはヒンジストッパ６０、バネ６２、ストッパケース６１がそれぞれ２つずつ組み込まれている。
【００１７】
図６（ｂ）はヒンジ７にヒンジストッパ６０、バネ６２、ストッパケース６１を組み込んだ状態での図２（ｃ）での断面図である。ヒンジストッパ６０はストッパケース６１に挿入されている。ストッパケース６１はヒンジ７に固定されており、このためヒンジストッパ６０はヒンジの内壁７ｆとストッパケースの内壁６１ｂの間を紙面上下方向、すなわち、７ａ、７ｃを結ぶヒンジの回転軸に平行な方向にのみ動くことが可能になっている。
【００１８】
また、ストッパケースにはバネ６２が取り付けられている。このバネは軸線Ｌ上にバネの軸が重なるように復元力が働く。ヒンジストッパ６０は突起部６０ｂでバネ６２と構成になっており軸線Ｌよりも紙面上部に突起があるため、バネ６２の復元力で、常に内壁７ｆ側に押圧されている。ヒンジストッパ６０はその突起部６０ａをＢ方向に押すことによりストッパケースの内壁６１ｂに６０ｇが突き当たるまで動くが、押すのをやめるとバネ６２の復元力により７ｆに突き当たるまでＡ方向に動く。
【００１９】
一方、枠体の方には、図７に示すとおり、画像読取装置の枠体６３にはヒンジ７を閉じた時にヒンジストッパ６０がストッパケースの壁６１ａに突き当たった状態で挿入された状態でヒンジストッパの突起部６０ｃが挿入可能な凹形状６３ａが設けられている。この凹形状６３ａは、ヒンジストッパ６０が挿入された状態で枠体上の凹形状６３ａの壁面６３ｂがヒンジストッパ６０と当接するようになっている。つまり、ヒンジストッパ６０が凹形状６３ａに挿入された状態では、ヒンジ７を図７（ｂ）中のＥ方向に回動しようとしても、６３ａと６３ｂが当接しているため回動できず、ヒンジ７は閉じたままになる。
【００２０】
また、図４に示すように、枠体上に固定された、軸３１ａを中心に回動可能なスタンド３１が取り付けられている。このスタンド３１は互いに平行な回転軸を２つもった部材３２と３１ｂで回転可能に接続されている。また部材３３も互いに平行な回転軸を２つ持ち、一方を枠体６３上の軸６３ｂ、反対側を部材３２と軸３２ｂで回転可能に接続されている。スタンド３１を図４（ｂ）中のＣ方向に開いていくとスタンド３１が４５度まで開いたときに、軸６３ｃ、３２ａ、３１ｂは一直線上になり軸３１ｂと６３ｃは最も長くなる。また、部材３２と３３は図示しないロック機構で互いにロックされるので、スタンド３１は本体に対し固定され、縦置きが可能となる。一方、スタンド３１を折りたたむときは図４（ｂ）中のＪ方向に回転軸３２ａを押し、Ｄ方向にスタンド３１を回転させる。本体収納時は図４（ａ）に示されるとおりスタンド３１上の突起３１ｃで枠体６３に固定される。
【００２１】
次に、実際に縦置きで画像読取装置を使用する場合について説明する。図４（ｂ）に示すように、まず画像読取装置１を原稿カバー６が閉じた状態（０°）で接地面８１から持ち上げ、スタンド３１を回動させ、Ｃ方向に４５度まで開く。次に図４（ｃ）に示すように接地面８１にヒンジ７の回動軸７ａ、７ｃが下側にくるように画像読取装置を設置する。このとき、ヒンジストッパの突起部６０ａは接地面８１と接触する。ヒンジストッパ６０は前述したとおりバネ６２により図４（ｂ）中のＡ方向に押圧されているが、押圧する力よりも自重によるＢ方向への力の方が大きいため、Ｂ方向に６０ｇが６１ｂに突き当たるまで移動する。このとき、ヒンジストッパ６０の突起部６０ｃは枠体に設けられた凹形状６３ａの挿入されヒンジの解放角度を規制する。縦置きの状態では原稿カバーは前述したとおり４０度までしか開かない。
【００２２】
図８に示すとおり、縦置き時の原稿Ｐの設置方法は、原稿カバー６を開き、原稿Ｐを原稿台ガラス２と圧着シート８の間に入れる。原稿台ガラス２上には原稿突き当て基準に部材６４があり、その壁６４ａに原稿Ｐが突き当たる。この際、圧着シート８は原稿台ガラスに対し４０度の角度を持っており、原稿Ｐが確実に壁６４ａに突き当たるように原稿Ｐをガイドするようになっている。このとき原稿Ｐの設置途中で原稿を手から離した場合でも壁６４ａは十分な高さを有しているため落下する原稿Ｐを受けとめられる。
【００２３】
画像読取装置を縦置きから通常の横置きに戻すときは、まず接地面から画像読取装置を持ち上げる。このときバネ６２の復元力によりヒンジストッパ６０はヒンジの内壁面７ｆに突き当たるまでＡ方向に移動する。７ｆに突き当たった状態では枠体上の凹形状６３ａから抜出され、ヒンジ７は回動可能になる。その後、スタンドをＤ方向に回動させ、収納し、横置きにする。
【図面の簡単な説明】
【００２４】
【図１】本発明の実施例に係る画像読取装置の、原稿カバーを開いた、斜視図。
【図２】本発明の実施例の画像読取装置の、（ａ）原稿カバー単品図、（ｂ）ヒンジ単品図、（ｃ）ヒンジ単品図の他方向からの斜視図。
【図３】本発明の実施例の画像読取装置の、（ａ）原稿カバーを閉じた斜視図、（ｂ）原稿カバーを１００度開いた斜視図、（ｃ）ヒンジだけを７０度開いた斜視図。
【図４】本発明の実施例に係る画像読取装置の縦置き設置図。
【図５】本発明の実施例に係る画像読取装置の原稿カバーを１００度開いた詳細断面図。
【図６】本発明の実施例に係る画像読取装置の（ａ）ヒンジの分解図、（ｂ）ヒンジの断面図。
【図７】本発明の実施例に係る画像読取装置から原稿カバーとヒンジをはずした状態の背面図（ａ）、縦置き時のヒンジストッパ部の断面図（ｂ）。
【図８】本発明の実施例に係る画像読取装置の縦置き時の原稿設置図。
【符号の説明】
【００２５】
１  画像読取装置本体
２  原稿台ガラス
３  コンタクトイメージセンサ
６  原稿カバー
７  ヒンジ
６０  ヒンジストッパ
【図１】
2008032984.tif 000003
【図２】
2008032984.tif 000004
【図３】
2008032984.tif 000005
【図４】
2008032984.tif 000006
【図５】
2008032984.tif 000007
【図６】
2008032984.tif 000008
【図７】
2008032984.tif 000009
【図８】
2008032984.tif 000010